(57)【特許請求の範囲】
【請求項１】
コネクタの嵌合方向に沿って対向するように配置された第１の端子群と第２の端子群を含む端子群と、外部導体シェルと、該端子群を保持して前記外部導体シェルに収容された絶縁性のハウジングとを少なくとも含むコネクタであって、
前記ハウジングは、前記第１の端子群を保持する第１のハウジング部材と、前記第２の端子群を保持する第２のハウジング部材とから構成され、前記第１のハウジング部材と前記第２のハウジング部材とはそれぞれ嵌合凸部を有し、
前記第１のハウジング部材の嵌合凸部は、前記第２のハウジング部材に対向する側面である第１の合わせ面に第１の嵌合孔群を有し、
前記第２のハウジング部材の嵌合凸部は、前記第１のハウジング部材に対向する側面である第２の合わせ面において前記第１の嵌合孔群に含まれる複数の嵌合孔に嵌合可能な位置に、複数の突起からなる第２の突起群を有し、
前記第１の嵌合孔群は、前記第１の端子群に含まれる複数の端子と同じ数の複数の嵌合孔からなり、
前記第２のハウジング部材は、前記第１のハウジング部材に対向する側面である第２の合わせ面に第２の嵌合孔群を有し、該第２の嵌合孔群は、前記第２の端子群に含まれる複数の端子と同じ数の複数の嵌合孔からなり、
前記第１のハウジング部材は、前記第１の合わせ面において前記第２の嵌合孔群に含まれる複数の嵌合孔に嵌合可能な位置に、複数の突起からなる第１の突起群を有することを特徴とするコネクタ。
【請求項２】
前記第１の端子群及び前記第２の端子群は、それぞれ２つの端子からなる端子ペアを少なくとも１組以上含むことを特徴とする請求項１に記載のコネクタ。
【請求項３】
前記第１の端子群及び前記第２の端子群は、それぞれ接触部と端子実装部とを有しており、前記第１の端子群及び前記第２の端子群における接触部の配列方向と端子実装部の配列方向とが互いに直交するように配置されていることを特徴とする請求項１又は２に記載のコネクタ。
【請求項４】
前記第１の突起群又は前記第２の突起群に含まれる複数の突起は、前記第１の合わせ面又は前記第２の合わせ面の表面上において、前記第１の端子群又は前記第２の端子群に含まれる複数の端子が保持されている部分の間又は隣にそれぞれ配置されたことを特徴とする請求項１から３のいずれか１項に記載のコネクタ。
【請求項５】
前記第１の嵌合孔群又は前記第２の嵌合孔群に含まれる複数の嵌合孔は、前記第１の合わせ面又は前記第２の合わせ面の表面上において、前記第１の端子群又は前記第２の端子群に含まれる複数の端子が保持されている部分にそれぞれ重ねて形成され、前記複数の嵌合孔の各々は、前記複数の端子の各々に達することを特徴とする請求項１から４のいずれか１項に記載のコネクタ。
【請求項６】
前記第１の突起群又は前記第２の突起群に含まれる複数の突起の各々は、当該突起に隣接して配置された、前記第１の嵌合孔群又は前記第２の嵌合孔群に含まれる嵌合孔よりも、コネクタの嵌合方向において先端側又は後端側に配置されたことを特徴とする請求項１から５のいずれか１項に記載のコネクタ。
【請求項７】
前記第１の突起群に含まれる全ての突起は、前記第１の嵌合孔群に含まれる全ての嵌合孔よりも、コネクタの嵌合方向において先端側又は後端側に配置され、前記第２の嵌合孔群に含まれる全ての嵌合孔は、前記第２の突起群に含まれる全ての突起よりも、コネクタの嵌合方向において先端側又は後端側に配置されたことを特徴とする請求項１から６のいずれか１項に記載のコネクタ。
【請求項８】
前記第１の突起群又は前記第２の突起群に含まれる複数の突起の各々は、前記第１の嵌合孔群又は前記第２の嵌合孔群に含まれる複数の嵌合孔の各々と交互に並べて直線状又は曲線状に前記第１の合わせ面又は前記第２の合わせ面に配置されたことを特徴とする請求項１から７のいずれか１項に記載のコネクタ。
【請求項９】
前記第１の突起群又は前記第２の突起群に含まれる複数の突起の各々は、該突起の側面に該側面の一部が隆起した隆起部を含むことを特徴する請求項１から８のいずれか１項に記載のコネクタ。
【請求項１０】
前記第１の合わせ面は、前記第１の突起群には含まれない柱部又は前記第１の嵌合孔群には含まれない柱受部を有し、
前記第２の合わせ面は、前記柱部又は前記柱受部に嵌合可能な位置に、前記第２の嵌合孔群には含まれない柱受部又は前記第２の突起群には含まれない柱部を有することを特徴とする請求項１から９のいずれか１項に記載のコネクタ。
【請求項１１】
前記コネクタは、前記ハウジングを収容する外部導体シェルを備えることを特徴とする請求項１から１０のいずれか１項に記載のコネクタ。
【請求項１２】
前記第１及び第２のハウジング部材は、前記外部導体シェルの内壁に対向する、外側の表面に圧入突起を有し、
前記外部導体シェルは、前記圧入突起を圧入可能な位置に設けられた圧入部を有することを特徴とする請求項１１に記載のコネクタ。
【発明の詳細な説明】
【技術分野】
【０００１】
本発明は、電気信号の高速伝送に適したコネクタに関する。具体的には、コネクタが備える複数の端子を、インピーダンス整合を維持するように配置固定可能な絶縁性のハウジングの構造に関する。
【背景技術】
【０００２】
電気信号等を伝送する際に使用するコネクタには、一般的に、一方の端子群と他方の端子群を向い合せで保持する絶縁性のハウジングと、当該ハウジングを収容する外部導体シェルを備えるものがある。例えば、特許２０１１−２３３３３７号公報（特許文献１）に記載のコネクタは、互いに間隔をおいて配置された複数の端子であって、上部に配列された一方の端子群と、下部に配列された他方の端子群が向かい合うように配列された複数の端子と、各端子を保持する絶縁性の端子保持部材（ハウジング）と、各端子を保持したハウジングを覆うシールドとを備え、ハウジングは、合成樹脂の成型品からなり、複数の端子を保持するための複数の溝が設けられ、板状に形成された端子保持部と、各端子が前後方向に貫通する複数の孔が設けられた背面部と、シールドに係合する切り欠き部が設けられた底面部を有する。
【０００３】
また、複数の端子からなる端子群を絶縁性のハウジングに保持するためには、例えば、特開２０１３−５４８４４号公報（特許文献２）に記載されているように、複数の端子の配置を決めて、金型に樹脂が注入することにより、ハウジングと一体成型する方法がある。
【先行技術文献】
【特許文献】
【０００４】
【特許文献１】特開２０１１−２３３３３７号公報
【特許文献２】特開２０１３−５４８４４号公報
【発明の概要】
【発明が解決しようとする課題】
【０００５】
近年、計測機器、音響・映像（ＡＶ）機器等の電子機器に搭載されたデータ処理装置の能力が向上し、電子機器において膨大なデータを処理できるようになり、それに伴って、大量のデータが電気信号としてコネクタを介して高速に送受信されるようになった。このような高周波の電気信号を適切に伝送するために、一方の端子群と他方の端子群を向い合せで保持する絶縁性のハウジングを備える従来型のコネクタでは、それぞれの端子群に含まれる複数の端子が一定の間隔を保つように絶縁性のハウジングに保持されることで、複数の端子間で生じ得るインピーダンス整合等の乱れを低減し、望ましい高周波特性を得ることができる。
【０００６】
しかしながら、絶縁性のハウジングで複数の端子を一定の間隔を保つように保持するためには、特許２０１１−２３３３３７号公報（特許文献１）に記載のコネクタのように、複数の端子をそれぞれハウジングに形成された複数の溝に沿って圧入するための複数の孔を背面部に設けるか、特開２０１３−５４８４４号公報（特許文献２）に記載のように、治具等で複数の端子を金型内に固定して樹脂を流し込むことで一体成型する必要がある。
【０００７】
絶縁性のハウジングを成型した後に、複数の端子をハウジングに圧入する方法は、複数の端子の一部分をハウジングで覆うような構造のコネクタには適しているが、１つの端子群に含まれる複数の端子においてハウジングで覆われていない部分が多くなり、当該部分は外部からの影響を受けやすく、複数の端子のインピーダンス整合をとることが難しくなり、コネクタの高周波特性に乱れが生じ易くなるという技術的な課題が生じ得る。また、ハウジングから露出する部分が多くなるため、複数の端子を十分に保護することができない。
【０００８】
一方、複数の端子を内部に保持するようにハウジングを一体成型する方法は、１つの端子群に含まれる複数の端子の多くの部分をハウジングで覆うような構造のコネクタには適しているが、複数の端子を金型内の定位置に固定する治具があるため、一体成型の際に治具の周りに合成樹脂等の材料が固まり、複数の端子から治具を外した後、ハウジングの外面に治具による孔が形成される。そのため、ハウジングで保持される複数の端子において孔から外部に露出している部分は、外部からの影響を受けやすくなり、上述したように、複数の端子をハウジングに挿入する方法と同様に、コネクタの高周波特性に乱れが生じ易くなるという技術的な課題が生じ得る。
【０００９】
以上のような課題を解決するために、コネクタの嵌合方向に沿って対向するように配置された２つの端子群と、該端子群を保持する絶縁性のハウジングと、該ハウジングを収容する外部導体シェルとを備える基板側コネクタにおいて、ハウジングを第１の端子群を保持する第１のハウジング部材と第２の端子群を保持する第２のハウジング部材とに分けて構成し、第１及び第２のハウジング部材がそれぞれ対向する側面（つまり、コネクタの嵌合方向の中心軸側の側面、以下「合わせ面」という）に、第１及び第２のハウジング部材を成型する際に端子群に含まれる複数の端子を治具でそれぞれ支持したために生じた複数の孔を設けることで、合わせ面で第１及び第２のハウジング部材を合せて構成されたハウジングの外面には、端子が露出する孔はなく、外部からの高周波特性への影響を低減することが可能なコネクタを提供する。
【００１０】
また、第１及び第２のハウジング部材の各々の合わせ面の嵌合孔は、ハウジング部材を成型する際に、端子群に含まれる複数の端子を支持するための治具によって絶縁性の合成樹脂が流れ込まずに形成された跡（すなわち、孔）を利用することが可能なコネクタを提供する。
【課題を解決するための手段】
【００１１】
本発明の１つの実施形態に係るコネクタは、
コネクタの嵌合方向に沿って対向するように配置された第１の端子群と第２の端子群を含む端子群と、該端子群を保持して前記外部導体シェルに収容された絶縁性のハウジングとを少なくとも含むコネクタであって、
前記ハウジングは、前記第１の端子群を保持する第１のハウジング部材と、前記第２の端子群を保持する第２のハウジング部材とから構成され、前記第１のハウジング部材と第２のハウジング部材とはそれぞれ嵌合凸部を有し、
前記第１のハウジング部材の嵌合凸部は、前記第２のハウジング部材に対向する側面である第１の合わせ面に第１の嵌合孔群を有し、
前記第２のハウジング部材の嵌合凸部は、前記第１のハウジング部材に対向する側面である第２の合わせ面において前記第１の嵌合孔群に含まれる複数の嵌合孔に嵌合可能な位置に、複数の突起からなる第２の突起群を有することを特徴とする。
【００１２】
本発明に係るコネクタの好ましい実施形態として、
前記第１の嵌合孔群は、前記第１の端子群に含まれる複数の端子と同じ数の複数の嵌合孔からなり、
前記第２のハウジング部材は、前記第１のハウジング部材に対向する側面である第２の合わせ面に第２の嵌合孔群を有し、該第２の嵌合孔群は、前記第２の端子群に含まれる複数の端子と同じ数の複数の嵌合孔からなり、
前記第１のハウジング部材は、前記第１の合わせ面において前記第２の嵌合孔群に含まれる複数の嵌合孔に嵌合可能な位置に、複数の突起からなる第１の突起群を有することを特徴とする。
【００１３】
本発明に係るコネクタの好ましい実施形態として、
前記第１の端子群及び前記第２の端子群は、それぞれ２つの端子からなる端子ペアを少なくとも１組以上含むことを特徴とする。
【００１４】
本発明に係るコネクタの好ましい実施形態として、
前記第１の端子群及び前記第２の端子群は、それぞれ接触部と端子実装部とを有しており、前記第１の端子群及び前記第２の端子群における接触部の配列方向と端子実装部の配列方向とが互いに直交するように配置されていることを特徴とする。
【００１５】
本発明に係るコネクタの好ましい実施形態として、
前記第１の突起群又は前記第２の突起群に含まれる複数の突起は、前記第１の合わせ面又は前記第２の合わせ面の表面上において、前記第１の端子群又は前記第２の端子群に含まれる複数の端子が保持されている部分の間又は隣にそれぞれ配置されたことを特徴とする。
【００１６】
本発明に係るコネクタの好ましい実施形態として、
前記第１の嵌合孔群又は前記第２の嵌合孔群に含まれる複数の嵌合孔は、前記第１の合わせ面又は前記第２の合わせ面の表面上において、前記第１の端子群又は前記第２の端子群に含まれる複数の端子が保持されている部分にそれぞれ重ねて形成され、前記複数の嵌合孔の各々は、前記複数の端子の各々に達することを特徴とする。
【００１７】
本発明に係るコネクタの好ましい実施形態として、
前記第１の突起群又は前記第２の突起群に含まれる複数の突起の各々は、当該突起に隣接して配置された、前記第１の嵌合孔群又は前記第２の嵌合孔群に含まれる嵌合孔よりも、コネクタの嵌合方向において先端側又は後端側に配置されたことを特徴とする。
【００１８】
本発明に係るコネクタの好ましい実施形態として、
前記第１の突起群又は前記第２の突起群に含まれる全ての突起は、前記第１の嵌合孔群又は前記第２の嵌合孔群に含まれる全ての嵌合孔よりも、コネクタの嵌合方向において先端側又は後端側に配置されたことを特徴とする。
【００１９】
本発明に係るコネクタの好ましい実施形態として、
前記第１の突起群又は前記第２の突起群に含まれる複数の突起の各々は、前記第１の嵌合孔群又は前記第２の嵌合孔群に含まれる複数の嵌合孔の各々と交互に並べて直線状又は曲線状に前記第１の合わせ面又は前記第２の合わせ面に配置されたことを特徴とする。
【００２０】
本発明に係るコネクタの好ましい実施形態として、
前記第１の突起群又は前記第２の突起群に含まれる複数の突起の各々は、該突起の側面に該側面の一部が隆起した隆起部を含むことを特徴する。
【００２１】
本発明に係るコネクタの好ましい実施形態として、
前記第１の合わせ面は、柱部又は柱受部を有し、
前記第２の合わせ面は、前記柱部又は前記柱受部に嵌合可能な位置に、柱受部又は柱部を有することを特徴とする。
【００２２】
本発明に係るコネクタの好ましい実施形態として、
前記コネクタは、前記ハウジングを収容する外部導体シェルを備えることを特徴とする。
【００２３】
本発明に係るコネクタの好ましい実施形態として、
前記第１及び第２のハウジング部材は、前記外部導体シェルの内壁に対向する、外側の表面に圧入突起を有し、
前記外部導体シェルは、前記圧入突起を圧入可能な位置に設けられた圧入部を有することを特徴とする。
【発明の効果】
【００２４】
本発明に係るコネクタは、２つの端子群を保持するハウジングを、第１の端子群を保持する第１のハウジング部材と、第２の端子群を保持する第２のハウジング部材とに分けて、第１及び第２のハウジング部材の各々の合わせ面に嵌合孔と突起を設けたことで、合わせ面で第１及び第２のハウジング部材を合せてハウジングを構成した際に、該ハウジングの外側表面には、端子が露出する孔が形成されず、外部から受ける高周波特性への影響を低減することができる。
【００２５】
また、第１及び第２のハウジング部材の各々の合わせ面の嵌合孔は、ハウジング部材を成型する際に、端子群に含まれる複数の端子を支持するための治具によって絶縁性の合成樹脂が流れ込まずに形成された跡（すなわち、孔）を利用することができるので、２つの端子群を保持するハウジングを成型する際に、外側の表面に複数の端子を治具で支持するための孔を形成せずに済むから、外部から受ける高周波特性への影響を低減することができる。
【００２６】
さらに、合わせ面で、第１のハウジング部材と第２のハウジング部材を合せた際に、それぞれの嵌合孔にそれぞれの突起が入って嵌合されることで、嵌合孔は塞がれてハウジング内部の隙間がなくなり（又は小さくなり）、２つ端子群を保持するハウジング内部の構造の変化を最小限に抑えることができ、容易にインピーダンス整合をとることができる。
【００２７】
そして、第１及び第２のハウジング部材の各々の合わせ面に形成された突起群と複数の嵌合孔群、柱部と柱受部が、それぞれ嵌合することで、合わせ面で第１及び第２のハウジング部材を合せてハウジングを構成した際に、第１のハウジング部材と第２のハウジング部材のズレや変形を防止し、コネクタの高周波特性を安定的に保つことができる。
【図面の簡単な説明】
【００２８】
【図１】基板側コネクタとケーブル側コネクタの外観を示す図である。
【図２】基板側コネクタの外部導体シェルに、ハウジングを収容する様子を示す図である。
【図３】ハウジングを収容した基板側コネクタの外観を示す図である。
【図４】本発明の一実施形態に係るハウジングと該ハウジングを構成する２つのハウジング部材の外観を示す図である。
【図５】図４に示したハウジング部材の合わせ面を示す図である。
【図６】図４に示したハウジング部材の合わせ面に設けられた突起群と嵌合孔群の嵌合の状態を示す断面図である。
【図７】本発明の別の実施形態に係るハウジングと該ハウジングを構成するハウジング部材の外観を示す図である。
【図８】図７に示したハウジング部材の合わせ面を示す図である。
【図９】図７に示したハウジング部材の合わせ面に設けられた突起群と嵌合孔群の嵌合の状態を示す断面図である。
【発明を実施するための形態】
【００２９】
以下に図面を参照して、本発明の実施形態について説明する。なお、実施の形態を説明するための全ての図において、同一部材には原則として同一の符号を付し、その繰り返しの説明は省略する。また、それぞれの実施形態は、独立して説明されているが、互いの構成要素を組み合わせてコネクタを構成することを排除するものではない。
【００３０】
図１は、基板側のコネクタ及びケーブル側のコネクタの外観を示す図である。コネクタの嵌合方向は、図中のＸ１―Ｘ２方向（Ｘ軸方向）である。基板側のコネクタ１００の先端側はＸ２方向側であり、ケーブル側のコネクタ２００の先端側はＸ１方向側である。基板３００に対して垂直な面はＸ―Ｚ平面であり、基板３００に対して水平な面（平行な面）はＸ―Ｙ平面である。図中のＺ軸方向に沿って上方及び下方を、それぞれのコネクタの上下とする。以上の事項は、その他の図においても同様である。
【００３１】
基板側のコネクタ１００は、ケーブル側のコネクタ２００との接続側（Ｘ２方向側）に嵌合凸部１０４を形成する複数の端子を保持する合成樹脂等の絶縁性の材料で成型されたハウジング１５０（図２参照）と、ハウジング１５０を内部に含む外部導体シェル１０６とから構成される。嵌合凹部１０２は、外部導体シェル１０６の嵌合側（Ｘ２側）に設けられた嵌合凸部１０４と、外部導体シェル１０６の内壁との間の空間である。外部導体シェル１０６は、当該外部導体シェル１０６を基板３００に実装して固定するためのシェル実装部１０８ａ及び１０８ｂを含む。シェル実装部１０８ａ及び１０８ｂは、基板３００に設けられた孔に挿入され、半田付けされるディップ端子であるが、基板の表面に実装可能な端子でも良い。シェル実装部１０８ａは、シェル実装部１０８ｂよりもコネクタ１００の先端側（Ｘ２側）の側面に設けられる。
【００３２】
また、外部導体シェル１０６は、ケーブル側のコネクタ２００のロック突部２０６と係合するロック孔１１０を備える。ロック孔１１０は、ケーブル側のコネクタ２００のロック突部２０６と係合できる位置に設けられる。図１では、ロック孔１１０は、コネクタ１００の外部導体シェル１０６の上下（Ｚ軸方向での上下）の側壁に設けられる。ロック孔１１０は、ロック突部２０６と係合できる構造であれば、必ずしも外部導体シェルを貫通した孔でなくてもよい。別の実施形態として、基板側のコネクタの外部導体シェルにロック突部を設け、ケーブル側のコネクタの外部導体シェルにロック孔を設けてもよい。
【００３３】
ケーブル側のコネクタ２００は、基板側のコネクタ１００との接続側（Ｘ１方向側）に嵌合部２０２を有し、複数の端子を保持するハウジングを内部に収めた外部導体シェル２０４と、外部導体シェル２０４の孔から突出したロック突部２０６と連動するロック操作用ボタン２０８と、外部導体シェル２０４とケーブル４００との接続部分を覆うカバー部材２１０とから構成される。
【００３４】
嵌合部２０２は、基板側のコネクタ１００との接続時に、嵌合凹部１０２に挿入される。外部導体シェル２０４は、ロック突部２０６を内側から突出させるための孔を側壁に有する。ロック突部２０６は、基板側のコネクタ１００のロック孔１１０と係合できる位置に設けられる。図１では、ロック突部２０６は、コネクタ２００の外部導体シェル２０４の上下（Ｚ軸方向での上下）の側壁に設けられる。ロック突部２０６は、ロック孔１１０と係合できる構造であればどのような構造でもよい。
【００３５】
ロック突部２０６は、外部導体シェル２０４の内部で、ロック操作用ボタン２０８と連結され、ロック操作用ボタン２０８を押し込むことに連動して、ロック突部２０６が押し込まれる。基板側のコネクタ１００との接続時に、ロック操作用ボタン２０８を押し込むことで、ロック突部２０６がロック孔１１０から外れて、ケーブル側のコネクタ２００は、基板側のコネクタ１００から抜くことができる。
【００３６】
図２は、本発明の一実施形態に係る基板側コネクタ（以下、単に「コネクタ」と呼ぶ）の外部導体シェルに、ハウジングを収容する様子を示す図である。外部導体シェル１０６の後方（Ｘ１側）からハウジング１５０が収容される。ハウジング１５０は、側面（Ｙ軸方向を向いた側面）に突状の圧入突起１５２を備え、当該側面の後方側（Ｘ１側）の縁部分が突出した突状縁部１５４を備える。圧入突起１５２は嵌合方向（Ｘ２方向）に延出し、突状縁部１５４は、側面の縁部分に沿って垂直方向（Ｚ方向）に延出する。図２では、ハウジング１５０の一方の側面を示しているが、他方の側面にも同様に、圧入突起１５２及び突状縁部１５４を設けることができる。圧入突起１５２は、図２に示す実施例に限定されるものではなく、ハウジング１５０の両側側面以外に、上面、底面等、外部導体シェル１０６の内壁に対向する、ハウジング１５０（すなわち、ハウジング部材１５０ａ、１５０ｂ）の外側の表面に１以上設けることができる。
【００３７】
ハウジング１５０は、複数の端子を含む端子群を保持することができ、複数の端子の各々は、相手側コネクタの端子と接触するための接触部１３０を先端側（Ｘ２側）に備え、接触部１３０はハウジング１５０の嵌合凸部１０４から露出する。また、複数の端子の各々は、基板３００に実装するため端子実装部１３２を後端側（Ｘ１側）に備える。図２に示す実施形態では、１つの端子群は、４つの端子を含む２組の端子ペアから構成される。
【００３８】
ハウジングで保持される１つの端子群に含まれる複数の端子は、それぞれの接触部１３０が基板３００に対して垂直方向（Ｚ軸方向）に並んで配置され、それぞれの端子実装部１３２が基板３００に対してそれぞれ水平方向（Ｙ軸方向）に並んで配置されるように、折り曲げられた形状を有する。すなわち、複数の端子は、接触部１３０の配列方向（Ｚ軸方向）と端子実装部１３２の配列方向（Ｙ軸方向）とが互いに直交する方向となっている。また、端子保護部１５６は、コネクタの嵌合方向に対して直交する水平方向（Ｙ方向）外側に膨らんだ部分である。
【００３９】
後壁部１１２は、外部導体シェル１０６の後方側（Ｘ１側）に設けられ、グランド端子１１４を先端部分に有する。ハウジング１５０を収容する前の外部導体シェル１０６は、内部にハウジング１５０を収容した際に後方側（Ｘ１側）を塞ぐための後壁部１１４が開いた状態である。外部導体シェル１０６は、側面（Ｙ軸方向を向いた側面）の後方側（Ｘ１側）の縁部分において、ハウジング１５０の圧入突起１５２を嵌め込むことが可能な位置に、圧入爪１１６を有する圧入部１１８を有する。
【００４０】
嵌合方向（Ｘ軸方向）に延出する圧入突起１５２の長さに対応して、圧入部１１８は、縁部から先端方向（Ｘ２方向）に、側面を切り取って形成される。ハウジング１５０を外部導体シェル１０６に収容する際に、圧入突起１５２が圧入部１１８に圧入又は挿入され、圧入爪１１６でしっかりと圧入突起１５２を押さえこむことができる。圧入部１１８は、図２に示す実施例に限定されるものではなく、圧入部１１８の両側側面以外に、上面、底面に１以上設けることができる。
【００４１】
図３は、ハウジングを収容したコネクタの外観を示す図である。図３(a)は、コネクタ１００を先端側（Ｘ２側）からみた正面図であり、図３(b)は、コネクタ１００を側面（Ｙ軸方向）からみた側面図であり、図３(c)は、コネクタ１００を下方（Ｚ軸方向の下方）からみた底面図である。図２に示したハウジング１５０を外部導体シェル１０６に収容する前の状態から、図３(b)に示されるように、ハウジング１５０を収容した後、後壁部１１２の根元から垂直方向（Ｚ軸方向）下方に折り曲げたことで、外部導体シェルの両側側面に設けられた係合突部１２０が、後壁部１１２の両側縁部から延出した板状部分に設けられた係合孔１２２に入り、後壁部１１２が固定される。また、ハウジング１５０の突状縁部１５４は、外部導体シェル１０６の後方側（Ｘ１側）の縁部と後壁部１１２の縁部に挟まれて固定される。
【００４２】
屈曲片１２４は、コネクタ１００の嵌合凹部１０２（すなわち、相手側コネクタとの嵌合口）の縁部に設けられ、コネクタ１００の外部導体シェル１０６と、相手側コネクタ（コネクタ２００）の嵌合部２０２とが間違った向きで嵌合させることを防止するための構造である。図３(a)に示す実施例では、屈曲片１２４は、外部導体シェル１０６の嵌合凹部１０２の長辺（Ｚ軸方向に延びる側壁）の縁部から延出して内側に折り曲げられ、屈曲片１２４の先端は、嵌合凹部１０２の短辺（Ｙ軸方向に延びる側壁）の縁部に達する。
【００４３】
屈曲片１２４の裏側（Ｘ１側）には、図３(b)に示すように、支持突起１２６を設けることができる。支持突起１２６は、相手側コネクタとの嵌合時に、屈曲片１２４が押し込まれた際に、屈曲片１２４を裏側（Ｘ１側）から支持することができる。屈曲片１２４及び支持突起１２６は嵌合凹部１０２の左下の縁部に設けられているが、この位置に限定されるものではなく、相手側コネクタとの誤嵌合を防止できれば、嵌合凹部１０２の縁部のどの位置でもよい。
【００４４】
図３(a)に示されるように、外部導体シェル１０６に収容されたハウジング１５０は、コネクタ１００の嵌合方向に沿って対向するように配置された２つの端子群を保持して、嵌合方向の前方（Ｘ２側）に嵌合凹部１０２（図１参照）を形成する。ハウジング部材１５０ａが保持する一方の端子群と、ハウジング部材１５０ｂが保持する他方の端子群は、それぞれ端子が配列方向（Ｚ軸方向）に半ピッチずれて並べられる。
【００４５】
ハウジング１５０は、嵌合方向に沿って向かい合わせで配置された２つの端子群と一体成型することができ、複数の端子の少なくとも一部分を覆うことができる。また、ハウジング１５０は、２つの端子群と一体成型する以外にも、複数の端子をそれぞれ圧入することもでき、ハウジング１５０に複数の端子を保持できる方法であればどのような方法でもよい。
【００４６】
複数の端子は、外部導体シェル１０６の後方（Ｘ１側）のハウジング１５０から露出し、露出した各端子に設けられた端子実装部１３２によって基板３００の表面上に半田付けされて固定される。端子実装部１３２は、端子群に含まれる各端子に設けられ、端子群毎に一群の端子実装部１３２を構成する。それぞれの端子実装部１３２は、基板３００に表面実装されるが、基板に設けられた孔に差し込んで実装されるようにディップ端子として構成してもよい。
【００４７】
グランド端子１１４は、外部導体シェル１０６の後壁部１１２と一体に形成されており、ハウジング１５０の後壁（Ｘ１側の壁）に沿うように外部導体シェル１０６の後端側に設けられ、シェル実装部も兼ねており、ハウジング１５０から露出した２つの端子群の間を通って基板３００に実装される。
【００４８】
外部導体シェル１０６は、一群の端子実装部１３２間に実装されたグランド端子１１４側とは反対側（コネクタ１００の側部側）に絶縁体１１２を覆った２つのシェル実装部１０８ｂを、コネクタ１００の後端側に設けられ、２つの一群の端子実装部１３２ａ及び１３２ｂは、それぞれグランド端子１１４と、コネクタ１００の後端側（Ｘ１側）の側面に設けられたシェル実装部１０８ｂとの間に配置されている。
【００４９】
端子実装部１３２ａ及び１３２ｂを露出するハウジング１５０の後方部分は、コネクタの嵌合方向に対して直交する水平方向（Ｙ方向）外側に膨らんだ端子保護部１５６を含む。端子保護部１５６は、複数の端子の水平方向（Ｙ軸方向）に折り曲げられて、並んで配置された部分を保護し、後方側（Ｘ１側）から端子実装部１３２を露出する。端子保護部１５６は、複数の端子の水平方向（Ｙ軸方向）に折り曲げられて、並んで配置された部分を覆って保護し、後方側（Ｘ１側）から端子実装部１３２を露出する。
【００５０】
外部導体シェル１０６は外側に膨らんだ端子保護部１５６の形状に合わせて形成されるため、図３(a)に示されるように、外部導体シェル１０６の後端側（Ｘ１側）に設けられたシェル実装部１０８ｂは、先端側（Ｘ２側）に設けられたシェル実装部１０８ａよりも、嵌合方向に直交する方向（Ｙ方向）で、外部導体シェル１０６の外側に設けられる。
【００５１】
また、図３(c)に示されるように、外部導体シェル１０６は、外側に膨らんだ端子保護部１５６の底面を支持するためのカシメ片１５８をシェル実装部１０８ｂの隣に備える。カシメ片１５８は、端子保護部１５６を巻き込むように折り曲げることで、ハウジング１５０で保持される端子群を保護することができる。
【００５２】
図３(a)から(c)に示されるように、外部導体シェル１０６の後端側に設けられたグランド端子１１４は、２つの端子群に含まれる複数の端子に対して接地電極の役割を果たすので、信号を伝送する複数の端子のそれぞれの間にグランド端子を設けなくても、電気信号の高速伝送に必要な高周波特性を維持することができる。それにより、コネクタに含まれる端子の数を減らすことができ、端子の数（すなわち、部品数）を減へらすことで、コネクタの内部構造は簡略化され、インピーダンス整合を容易に調整可能な内部構造にすることができる。
【００５３】
図４は、本発明の一実施形態に係るハウジングと該ハウジングを構成する２つのハウジング部材の外観を示す。図４(a)は、ハウジング１５０を前方（Ｘ２側）斜めからみた斜視図であり、図４(b)は、ハウジング１５０を構成する２つのハウジング部材１５０ａ及び１５０ｂを前方（Ｘ２側）からみた正面図であり、図４(c)は、２つのハウジング部材１５０ａ及び１５０ｂを上方（Ｚ軸方向の上方）からみた上面図である。
【００５４】
図４(b)に示されるように、一方のハウジング部材１５０ａは、他方のハウジング部材１５０ｂに対向する側面（合わせ面１８０、図５参照）に、突起１６２ａ、突起１６２ｂ、突起１６２ｃ、突起１６２ｄを含む突起群１６２を備える。図４に示す実施例では、突起群１６２に含まれる突起は４つであるが、４つに限定されるものではなく、１つ以上あればよく、突起はそれぞれ嵌合凸部１０４ａの裏側の面に配置されるが、この配置に限定されるものではなく、合わせ面１８０（図５参照）の表面上にあればよい。柱部１６０については、後述する。
【００５５】
また、同様に、他方のハウジング部材１５０ｂは、一方のハウジング部材１５０ａに対向する側面（合わせ面１８２、図５参照）に、突起１６４ａ、突起１６４ｂ、突起１６４ｃ、突起１６４ｄを含む突起群１６４を備える。図４に示す実施例では、突起群１６４に含まれる突起は４つであるが、４つに限定されるものではなく、１つ以上あればよく、突起はそれぞれ嵌合凸部１０４ｂの裏側の面に配置されるが、この配置に限定されるものではなく、合わせ面１８２（図５参照）の表面上にあればよい。
【００５６】
突起群１６２に含まれる突起１６２ａ、突起１６２ｂ、突起１６２ｃ、突起１６２ｄは、合わせ面１８０（図５参照）の表面上において、ハウジング部材１５０ａが一方の端子群に含まれる複数の端子を保持している部分の間又は隣にそれぞれ配置されている（図６(b)の断面図も参照）。図４(b)に示す実施例では、嵌合凸部１０４ａから露出する複数の端子（一方の接触部１３０）が保持されている部分の間又は隣の面上に突起１６２ａ、突起１６２ｂ、突起１６２ｃ、突起１６２ｄがそれぞれ配置されている（図６(c)の断面図も参照）。
【００５７】
同様に、突起群１６４に含まれる突起１６４ａ、突起１６４ｂ、突起１６４ｃ、突起１６４ｄも、合わせ面１８２（図５参照）の表面上において、ハウジング部材１５０ｂが他方の端子群に含まれる複数の端子を保持している部分の間又は隣にそれぞれ配置されている。図４(b)に示す実施例では、嵌合凸部１０４ｂから露出する複数の端子（他方の接触部１３０）が保持されている部分の間又は隣の面上に突起１６４ａ、突起１６４ｂ、突起１６４ｃ、突起１６４ｄがそれぞれ配置されている。
【００５８】
図４(c)に示されるように、突起群１６２は、突起群１６４よりも後端側（Ｘ１側）に配置されている。当然のことながら、この配置に限定されるものではなく、突起群１６２が、突起群１６４よりも先端側（Ｘ２側）に配置されてもよく、突起群１６２に含まれる複数の突起の一部が、突起群１６４に含まれる複数の突起の一部よりも先端側（Ｘ２側）又は後端側（Ｘ１側）に配置されてもよい。
【００５９】
図５は、図４に示したハウジング部材の合わせ面を示す。図５(a)又は(b)に示されるように、ハウジング部材１５０ａの合わせ面１８０上には、突起群１６２に含まれる突起１６２ａ、突起１６２ｂ、突起１６２ｃ、突起１６２ｄが垂直方向に並べて配列され、ハウジング部材１５０ｂの合わせ面１８２上には、突起群１６４に含まれる突起１６４ａ、突起１６４ｂ、突起１６４ｃ、突起１６４ｄが垂直方向に並べて配列されている。突起の配列は、図５に示す実施例に限定されるものではなく、例えば、突起群１６２に含まれる突起１６２ａ、突起１６２ｂ、突起１６２ｃ、突起１６２ｄが、合わせ面１８０の表面上において、ハウジング部材１５０ａが一方の端子群に含まれる複数の端子を保持している部分の間又は隣にそれぞれ配置される位置であれば、直線状や曲線状等自由に並べて配列することができる。突起群１６４に含まれる突起１６４ａ、突起１６４ｂ、突起１６４ｃ、突起１６４ｄについても、同様に配列することができる。
【００６０】
柱部１６０は、合わせ面１８０に設けられ、合わせ面１８２に設けられた柱受部１６６に対向する位置に配置することができる。柱受部１６６は、合わせ面１８２に設けられ、合わせ面１８０に設けられた柱部１６０に対向する位置に配置することができる。ハウジング部材１５０ａとハウジング部材１５０ｂを合せてハウジング１５０を構成する際に、柱部１６０は、柱受部１６６に圧入され嵌め合わされる。柱部１６０及び柱受部１６６は、ハウジング部材１５０ａとハウジング部材１５０ｂのズレを防止するための１つの補強部位であり、必要なければ設けなくてもよい。
【００６１】
また、柱部１６０の幅や長さを変えること、及び、柱受部１６６の幅や深さを変えることで、圧入にかかる力を調整することができ、柱部１６０の側面の全部又は一部を突出させたリブ及び柱受部１６６の内壁の全部又は一部を突出させたリブの少なくとも一方を設けることでも、圧入にかかる力を調整することができる。さらに、柱部１６０は、円柱形状であるが、この形状に限定されるものではなく、矩形、多角形等、柱受部１６６と嵌め合せることが可能な形状であればどのような形状でもよい。同様に、柱受部１６６は円筒形状であるが、この形状に限定されるものではなく、矩形、多角形等、柱部１６０と嵌め合せることが可能な形状であればどのような形状でもよい。
【００６２】
図５に示されるように、一方のハウジング部材１５０ａは、合わせ面１８０に、嵌合孔１６８ａ、嵌合孔１６８ｂ、嵌合孔１６８ｃ、嵌合孔１６８ｄを含む嵌合孔群１６８を備える。図５に示す実施例では、嵌合孔群１６８に含まれる嵌合孔は４つであるが、４つに限定されるものではなく、１つ以上あればよく、嵌合孔はそれぞれ嵌合凸部１０４ａの裏側の面に配置されるが、この配置に限定されるものではなく、合わせ面１８０の表面上にあればよい。
【００６３】
また、同様に、他方のハウジング部材１５０ｂは、合わせ面１８２に、嵌合孔１７０ａ、嵌合孔１７０ｂ、嵌合孔１７０ｃ、嵌合孔１７０ｄを含む嵌合孔群１７０を備える。図５に示す実施例では、嵌合孔群１７０に含まれる嵌合孔は４つであるが、４つに限定されるものではなく、１つ以上あればよく、嵌合孔はそれぞれ嵌合凸部１０４ｂの裏側の面に配置されるが、この配置に限定されるものではなく、合わせ面１８２の表面上にあればよい。
【００６４】
嵌合孔群１６８は、合わせ面１８０において突起群１６２よりも先端側に配置されている。当然のことながら、この配置に限定されるものではなく、突起群１６２が、嵌合孔群１６８よりも先端側に配置されてもよく、突起群１６２に含まれる複数の突起の一部が、嵌合孔群１６８に含まれる複数の嵌合孔の一部よりも先端側又は後端側に配置されてもよい。
【００６５】
嵌合孔群１７０は、合わせ面１８２において突起群１６４よりも後端側に配置されている。当然のことながら、この配置に限定されるものではなく、突起群１６４が、嵌合孔群１７０よりも後端側に配置されてもよく、突起群１６４に含まれる複数の突起の一部が、嵌合孔群１７０に含まれる複数の嵌合孔の一部よりも先端側又は後端側に配置されてもよい。
【００６６】
嵌合孔群１６８に含まれる嵌合孔１６８ａ、嵌合孔１６８ｂ、嵌合孔１６８ｃ、嵌合孔１６８ｄは、合わせ面１８０の表面上において、ハウジング部材１５０ａが一方の端子群に含まれる複数の端子を保持している部分にそれぞれ重ねて配置され、嵌合孔１６８ａ、嵌合孔１６８ｂ、嵌合孔１６８ｃ、嵌合孔１６８ｄは、それぞれの端子に達する（図６(c)の断面図も参照）。つまり、嵌合孔１６８ａ、嵌合孔１６８ｂ、嵌合孔１６８ｃ、嵌合孔１６８ｄから、それぞれ端子の一部が露出する。
【００６７】
嵌合孔群１７０に含まれる嵌合孔１７０ａ、嵌合孔１７０ｂ、嵌合孔１７０ｃ、嵌合孔１７０ｄは、合わせ面１８２の表面上において、ハウジング部材１５０ｂが他方の端子群に含まれる複数の端子を保持している部分にそれぞれ重ねて配置され、嵌合孔１７０ａ、嵌合孔１７０ｂ、嵌合孔１７０ｃ、嵌合孔１７０ｄは、それぞれの端子に達する（図６(b)の断面図も参照）。つまり、嵌合孔１７０ａ、嵌合孔１７０ｂ、嵌合孔１７０ｃ、嵌合孔１７０ｄから、それぞれ端子の一部が露出する。
【００６８】
突起の配列は、図５に示す実施例に限定されるものではなく、例えば、突起群１６２に含まれる突起１６２ａ、突起１６２ｂ、突起１６２ｃ、突起１６２ｄが、合わせ面１８０の表面上において、ハウジング部材１５０ａが一方の端子群に含まれる複数の端子を保持している部分の間又は隣にそれぞれ配置される位置であれば、直線状や曲線状等自由に並べて配列することができる。突起群１６４に含まれる突起１６４ａ、突起１６４ｂ、突起１６４ｃ、突起１６４ｄについても、同様に配列することができる。
【００６９】
嵌合孔の配列は、図５に示す実施例に限定されるものではなく、例えば、嵌合孔群１６８に含まれる嵌合孔１６８ａ、嵌合孔１６８ｂ、嵌合孔１６８ｃ、嵌合孔１６８ｄが、合わせ面１８０の表面上において、ハウジング部材１５０ａが一方の端子群に含まれる複数の端子を保持している部分にそれぞれ重ねて配置される位置であれば、直線状や曲線状等自由に並べて配列することができる。嵌合孔群１７０に含まれる嵌合孔１７０ａ、嵌合孔１７０ｂ、嵌合孔１７０ｃ、嵌合孔１７０ｄについても、同様に配列することができる。
【００７０】
ハウジング部材１５０ａ及び１５０ｂの各々の合わせ面１８０、１８２の嵌合孔１６８ａ、１６８ｂ、１６８ｃ、１６８ｄ、１７０ａ、１７０ｂ、１７０ｃ、１７０ｄには、ハウジング部材１５０ａ及び１５０ｂを成型する際に、端子群に含まれる複数の端子を支持するための治具によって絶縁性の合成樹脂が流れ込まずに形成された跡（すなわち、孔）を利用することができる。言い換えると、端子群をそれぞれ保持するハウジング部材１５０ａ及び１５０ｂを一体成型する場合に、複数の端子を金型内の定位置に固定する治具があるために、絶縁性の合成樹脂等の材料が固まって治具を取り外した後に生ずる複数の孔を、ハウジング部材１５０ａ及び１５０ｂの各々の合わせ面１８０、１８２の嵌合孔１６８ａ、１６８ｂ、１６８ｃ、１６８ｄ、１７０ａ、１７０ｂ、１７０ｃ、１７０ｄとして機能させることができる。
【００７１】
このように、ハウジング部材１５０ａ及び１５０ｂの各々の合わせ面１８０、１８２に、ハウジング部材１５０ａ及び１５０ｂを一体成型した場合に生ずる複数の孔を形成し、嵌合孔１６８ａ、１６８ｂ、１６８ｃ、１６８ｄ、１７０ａ、１７０ｂ、１７０ｃ、１７０ｄとして利用することで、ハウジング部材１５０ａとハウジング部材１５０ｂを合せて構成されるハウジング１５０の外面には孔が形成されず、外部からの高周波特性への影響を低減することができる。
【００７２】
突起群１６２に含まれる突起１６２ａ、突起１６２ｂ、突起１６２ｃ、突起１６２ｄと、嵌合孔群１６８に含まれる嵌合孔１６８ａ、嵌合孔１６８ｂ、嵌合孔１６８ｃ、嵌合孔１６８ｄは、合わせ面１８０において半ピッチずれて配列される。同様に、突起群１６４に含まれる突起１６４ａ、突起１６４ｂ、突起１６４ｃ、突起１６４ｄと、嵌合孔群１７０に含まれる嵌合孔１７０ａ、嵌合孔１７０ｂ、嵌合孔１７０ｃ、嵌合孔１７０ｄは、合わせ面１８２において半ピッチずれて配列される。
【００７３】
図６は、図４に示したハウジング部材の合わせ面に設けられた突起群と嵌合孔群の嵌合の状態の断面を示す。図６(a)に示す切断線ｂ−ｂで垂直方向（Ｚ軸方向）に、嵌合凸部１０４を切断した断面図が図６(b)であり、切断線ｃ−ｃで垂直方向（Ｚ軸方向）に、嵌合凸部１０４を切断した断面図が図６(c)である。
【００７４】
図６(b)に示されるように、合わせ面１８０に設けられた突起群１６２に含まれる突起１６２ａ、突起１６２ｂ、突起１６２ｃ、突起１６２ｄと、合わせ面１８２に設けられた嵌合孔群１７０に含まれる嵌合孔１７０ａ、嵌合孔１７０ｂ、嵌合孔１７０ｃ、嵌合孔１７０ｄとは、それぞれ対向する位置に配置され、ハウジング部材１５０ａとハウジング部材１５０ｂを合せてハウジング１５０を構成した際に、突起１６２ａ、突起１６２ｂ、突起１６２ｃ、突起１６２ｄは、嵌合孔１７０ａ、嵌合孔１７０ｂ、嵌合孔１７０ｃ、嵌合孔１７０ｄにそれぞれ圧入され嵌め合わされる。
【００７５】
図６(c)に示されるように、合わせ面１８２に設けられた突起群１６４に含まれる突起１６４ａ、突起１６４ｂ、突起１６４ｃ、突起１６４ｄと、合わせ面１８０に設けられた嵌合孔群１６８に含まれる嵌合孔１６８ａ、嵌合孔１６８ｂ、嵌合孔１６８ｃ、嵌合孔１６８ｄとは、それぞれ対向する位置に配置され、ハウジング部材１５０ａとハウジング部材１５０ｂを合せてハウジング１５０を構成した際に、突起１６４ａ、突起１６４ｂ、突起１６４ｃ、突起１６４ｄは、嵌合孔１６８ａ、嵌合孔１６８ｂ、嵌合孔１６８ｃ、嵌合孔１６８ｄにそれぞれ圧入され嵌め合わされる。
【００７６】
突起群１６２、１６４に含まれる各突起の幅や長さを変えること、及び、嵌合孔群１６８、１７０に含まれる各嵌合孔の幅や深さを変えることで、圧入にかかる力を調整することができ、各突起の側面の全部又は一部を突出させたリブ及び各嵌合孔の内壁の全部又は一部を突出させたリブの少なくとも一方を設けることでも、圧入にかかる力を調整することができる。また、突起群１６２、１６４に含まれる各突起は、先細の四角柱形状であるが、この形状に限定されるものではなく、円形、多角形等、各嵌合孔と嵌め合せることが可能な形状であればどのような形状でもよい。同様に、嵌合孔群１６８、１７０に含まれる各嵌合孔は角筒形状であるが、この形状に限定されるものではなく、円形、多角形等、各突起と嵌め合せることが可能な形状であればどのような形状でもよい。
【００７７】
図６(b)及び(c)に示されるように、合わせ面１８０、１８２で、ハウジング部材１５０ａとハウジング部材１５０ｂを合せた際に、それぞれの嵌合孔にそれぞれの突起が入って嵌合されることで、各嵌合孔は塞がれてハウジング内部の隙間がなくなり（又は小さくなり）、２つ端子群を保持するハウジング内部の構造の変化を最小限に抑えることができ、容易にインピーダンス整合をとることができる。
【００７８】
また、突起群１６２、１６４の各突起が、嵌合孔群１７０、１６８の各嵌合孔にそれぞれ嵌合されたことで、ハウジング１５０を構成するハウジング部材１５０ａとハウジング部材１５０ｂのズレや変形を防止し、コネクタの高周波特性を安定的に保つことができる。
【００７９】
図７から９に示す本発明の実施形態は、図４から６に示す本発明の実施形態とは別の実施形態である。図７は、本発明の別の実施形態に係るハウジングと該ハウジングを構成するハウジング部材の外観を示す。以下、図４から６に示す本発明の実施形態と同様の構成についての説明は省略し、異なる構成についてのみ説明する。
【００８０】
図７(a)に示されるように、一方のハウジング部材１５０ａは、合わせ面１８０（図８参照）に、突起１７２ａ、突起１７２ｂ、突起１７２ｃ、突起１７２ｄを含む突起群１７２を備える。他方のハウジング部材１５０ｂは、合わせ面１８２（図８参照）に、突起１７４ａ、突起１７４ｂ、突起１７４ｃ、突起１７４ｄを含む突起群１７４を備える。図７(b)に示されるように、突起群１７２と突起群１７４とは、互いに対向する位置に配置される。つまり、突起群１７２と突起群１７４とは、コネクタの先端側（Ｘ２）からの距離が等しい位置に配置されている。
【００８１】
図８は、図７に示したハウジング部材の合わせ面を示す。図８(a)又は(b)に示されるように、ハウジング部材１５０ａの合わせ面１８０上には、突起群１７２に含まれる突起１７２ａ、突起１７２ｂ、突起１７２ｃ、突起１７２ｄと、嵌合孔群１７６に含まれる嵌合孔１７６ａ、嵌合孔１７６ｂ、嵌合孔１７６ｃ、嵌合孔１７６ｄとが、垂直方向に交互に並べて配置されている。ハウジング部材１５０ｂの合わせ面１８２上には、突起群１７４に含まれる突起１７４ａ、突起１７４ｂ、突起１７４ｃ、突起１７４ｄと、嵌合孔群１７８に含まれる嵌合孔１７８ａ、嵌合孔１７８ｂ、嵌合孔１７８ｃ、嵌合孔１７８ｄとが、垂直方向に交互に並べて配置されている。
【００８２】
図８に示す実施例では、突起群１７２に含まれる複数の突起と嵌合孔群１７６に含まれる複数の嵌合孔を垂直方向に交互に並べて配置しているが、垂直方向だけに限定されるものではなく、その他の方向に直線状に交互に並べて合わせ面１８０に配置してよく、曲線状に交互に並べて合わせ面１８０に配置してもよい。突起群１７４に含まれる複数の突起と嵌合孔群１７８に含まれる複数の嵌合孔のついても上記と同様交互に並べて合わせ面１８２に配置することができる。
【００８３】
また、複数の突起及び複数の嵌合孔の配列は、図８に示す実施例に限定されるものではなく、例えば、突起群１７２に含まれる複数の突起は、ハウジング部材１５０ａが一方の端子群に含まれる複数の端子を保持している部分の間又は隣にそれぞれ配置される位置であれば、直線状や曲線状等自由に並べて配列することができる。嵌合孔群１７６に含まれる複数の嵌合孔は、ハウジング部材１５０ａが一方の端子群に含まれる複数の端子を保持している部分にそれぞれ重ねて配置される位置であれば、直線状や曲線状等自由に並べて配列することができる。突起群１７４に含まれる突起１７４ａ、突起１７４ｂ、突起１７４ｃ、突起１７４ｄ及び嵌合孔群１７８に含まれる嵌合孔１７８ａ、嵌合孔１７８ｂ、嵌合孔１７８ｃ、嵌合孔１７８ｄについても、合わせ面１８２において同様に配列することができる。
【００８４】
図８(b)に示されるように、突起群１７２、１７４に含まれる複数の突起の各々は、コネクタの嵌合方向の側面を突出させたリブを設けているが、図８(b)に示す実施例に限定されるものではなく、垂直方向（突起の配列方向）の側面にリブを設けることができる。
【００８５】
突起群１７２、１７４に含まれる各突起の幅や長さを変えること、及び、嵌合孔群１７６、１７８に含まれる各嵌合孔の幅や深さを変えることで、圧入にかかる力を調整することができ、各突起の側面の全部又は一部を突出させたリブ及び各嵌合孔の内壁の全部又は一部を突出させたリブの少なくとも一方を設けることでも、圧入にかかる力を調整することができる。また、突起群１７２、１７４に含まれる各突起は、先細の四角柱形状であるが、この形状に限定されるものではなく、円形、多角形等、各嵌合孔と嵌め合せることが可能な形状であればどのような形状でもよい。同様に、嵌合孔群１７６、１７８に含まれる各嵌合孔は角筒形状であるが、この形状に限定されるものではなく、円形、多角形等、各突起と嵌め合せることが可能な形状であればどのような形状でもよい。
【００８６】
図９は、図７に示したハウジング部材の合わせ面に設けられた突起群と嵌合孔群の嵌合の状態の断面を示す。図９(a)に示す切断線ｂ−ｂで垂直方向（Ｚ軸方向）に、嵌合凸部１０４を切断した断面図が図９(b)である。
【００８７】
合わせ面１８０に設けられた突起群１７２に含まれる突起１７２ａ、突起１７２ｂ、突起１７２ｃ、突起１７２ｄと、合わせ面１８２に設けられた嵌合孔群１７８に含まれる嵌合孔１７８ａ、嵌合孔１７８ｂ、嵌合孔１７８ｃ、嵌合孔１７８ｄとは、それぞれ対向する位置に配置され、ハウジング部材１５０ａとハウジング部材１５０ｂを合せてハウジング１５０を構成した際に、突起１７２ａ、突起１７２ｂ、突起１７２ｃ、突起１７２ｄは、嵌合孔１７８ａ、嵌合孔１７８ｂ、嵌合孔１７８ｃ、嵌合孔１７８ｄにそれぞれ圧入され嵌め合わされる。突起群１７２の各突起の側面から突出したリブが、嵌合孔群１７８の各嵌合孔にそれぞれ圧入することによって、ハウジング部材１５０ａ、１５０ｂを固定することができる。
【００８８】
合わせ面１８２に設けられた突起群１７４に含まれる突起１７４ａ、突起１７４ｂ、突起１７４ｃ、突起１７４ｄと、合わせ面１８０に設けられた嵌合孔群１７６に含まれる嵌合孔１７６ａ、嵌合孔１７６ｂ、嵌合孔１７６ｃ、嵌合孔１７６ｄとは、それぞれ対向する位置に配置され、ハウジング部材１５０ａとハウジング部材１５０ｂを合せてハウジング１５０を構成した際に、突起１７４ａ、突起１７４ｂ、突起１７４ｃ、突起１７４ｄは、嵌合孔１７６ａ、嵌合孔１７６ｂ、嵌合孔１７６ｃ、嵌合孔１７６ｄにそれぞれ圧入され嵌め合わされる。突起群１７４の各突起の側面から突出したリブが、嵌合孔群１７６の各嵌合孔にそれぞれ圧入することによって、ハウジング部材１５０ａ、１５０ｂを固定することができる。
【００８９】
図９に示されるように、合わせ面１８０、１８２で、ハウジング部材１５０ａとハウジング部材１５０ｂを合せた際に、それぞれの嵌合孔にそれぞれの突起が入って嵌合されることで、各嵌合孔は塞がれてハウジング内部の隙間がなくなり（又は小さくなり）、２つ端子群を保持するハウジング内部の構造の変化を最小限に抑えることができ、容易にインピーダンス整合をとることができる。
【００９０】
また、突起群１７２、１７４の各突起が、嵌合孔群１７６、１７８の各嵌合孔にそれぞれ嵌合されたことで、ハウジング１５０を構成するハウジング部材１５０ａとハウジング部材１５０ｂのズレや変形を防止し、コネクタの高周波特性を安定的に保つことができる。
【００９１】
本発明の個々の実施例は、独立したものではなく、それぞれ組み合わせて適宜実施することができる。
【産業上の利用可能性】
【００９２】
本発明に係るコネクタは、高周波信号を扱う計測機器等の電子機器によって、高い周波数の電気信号を伝送するために、機器間をケーブルで接続する際に利用することができる。
【符号の説明】
【００９３】
１００  コネクタ
１０２  嵌合凹部
１０４，１０４ａ，１０４ｂ  嵌合凸部
１０６  外部導体シェル
１０８ａ，１０８ｂ  シェル実装部
１１０  ロック孔
１１２  後壁部
１１４  グランド端子（シェル実装部）
１１６  圧入爪
１１８  圧入部
１２０  係合突部
１２２  係合孔
１２４  屈曲片
１２６  支持突起
１３０  接触部
１３２，１３２ａ，１３２ｂ  端子実装部
１５０  ハウジング
１５０ａ，１５０ｂ  ハウジング部材
１５２  圧入突起
１５４  突状縁部
１５６  端子保護部
１５８  カシメ片
１６０  柱部
１６２  突起群
１６２ａ，１６２ｂ，１６２ｃ，１６２ｄ  突起
１６４  突起群
１６４ａ，１６４ｂ，１６４ｃ，１６４ｄ  突起
１６６  柱受部
１６８  嵌合孔群
１６８ａ，１６８ｂ，１６８ｃ，１６８ｄ  嵌合孔
１７０  嵌合孔群
１７０ａ，１７０ｂ，１７０ｃ，１７０ｄ  嵌合孔
１７２  突起群
１７２ａ，１７２ｂ，１７２ｃ，１７２ｄ  突起
１７４  突起群
１７４ａ，１７４ｂ，１７４ｃ，１７４ｄ  突起
１７６  嵌合孔群
１７６ａ，１７６ｂ，１７６ｃ，１７６ｄ  嵌合孔
１７８  嵌合孔群
１７８ａ，１７８ｂ，１７８ｃ，１７８ｄ  嵌合孔
１８０，１８２  合わせ面
２００  コネクタ
２０２  嵌合部
２０４  外部導体シェル
２０６  ロック突部
２０８  ロック操作用ボタン
２１０  カバー部材
３００  基板
４００  ケーブル
【図１】
0006703860.tif 000002
【図２】
0006703860.tif 000003
【図３】
0006703860.tif 000004
【図４】
0006703860.tif 000005
【図５】
0006703860.tif 000006
【図６】
0006703860.tif 000007
【図７】
0006703860.tif 000008
【図８】
0006703860.tif 000009
【図９】
0006703860.tif 000010